(57)【要約】      （修正有）【課題】社名や広告等の文字、記号、図形を記載し又は、貼着するための有効スペースを正面に確保することができるソーラー電卓を提供する。【解決手段】電卓本体１の上端側に形成された表示窓２と下端側に形成された有効スペース３との間に操作キー４を配列せしめる。表示窓２は、電卓本体１の幅方向上端１ａに沿って帯状に形成された液晶画面であり、同電卓本体１の縦幅を六等分した最上位の横一段を占めている。更に、有効スペース３は、社名や広告宣伝等の文字、記号、図形などを表示する欄であり、電卓本体１の縦幅を六等分した最下位の横一段を占めている。各操作キー４は、前記表示窓２及び有効スペース３と同じ縦幅を一辺とする正方形を有しており、同電卓本体１の縦幅を六等分した中央部位の横四段に配列されている。【選択図】図１
0003131570.tif 000002
【実用新案登録請求の範囲】
【請求項１】
操作キー、表示窓が配設された電卓本体の外周面に、太陽電池若しくは太陽電池用の受光面を設けたことを特徴とするソーラー電卓。
【請求項２】
操作キー、表示窓が配設された電卓本体の表面に、社名や広告等の文字、記号、図形を表示若しくは貼着するための有効スペースを設けたことを特徴とする請求項１に記載のソーラー電卓。
【請求項３】
所定大きさに形成された電卓本体と、該電卓本体に所定大きさの表示窓及び操作キーとを備えてなる電卓において、前記電卓本体は、同電卓本体の幅方向上端に沿って形成された表示窓と、該表示窓と同形同大で同電卓本体の幅方向下端に沿って形成された有効スペースとの間に、前記操作キーを配列してなることを特徴とするソーラー電卓。
【請求項４】
前記操作キーは、有効スペース及び／又は表示窓と同じ縦幅を一辺とする正方形を有しており、内部電池との二電源方式用の太陽電池を前記電卓本体の頂部端面に配設してなることを特徴とする請求項１，２又は３に記載のソーラー電卓。
【考案の詳細な説明】
【技術分野】
【０００１】
本考案は、太陽電池若しくはその受光面を電卓本体の外周面に形成することにより、電卓本体の正面に社名や広告等を表示若しくは貼着するための有効スペースを確保することができる斬新なデザインのソーラー電卓に関する。
【背景技術】
【０００２】
従来、斯かるソーラー電卓としては、例えば、電卓本体の表面に、電源オン・クリアーキーと、オールクリアーキーと、数字キー・少数キーと、四則計算キー・イコールキーと、パーセントキーと、内部ボタン電池との二電源方式用のソーラー電池とを配設した電卓において、数字キー・少数キーより入力した数値を表示するメインディスプレーと、プラスメモリー・シフトキーを押すとメインディスプレーに表示した数値をシフトして該数値を表示するメモリーディスプレーと、メインディスプレーと、メモリーディスプレーとの２つの画面を並列に配設し、名種のシフトキーからの入力によって２つの画面表示を同時又は交互に表示する構成にした２ラインディスプレーと、押すとメインディスプレーに表示した数値をメモリーディスプレーへシフトするプラスメモリー・シフトキーと、押すとメインディスプレーに表示した数値を正から負又は負から正へ変更するマイナスメモリー・シフトキーと、２回押すとメモリーディスプレーに表示した数値をクリアーするメモリー・クリアーキーと、押すとメモリーディスプレーに表示している数値をメインディスプレーへシフトして、２回押すとシフトする前のメインディスプレーに表示した数値を再度表示するシフトキーとを電卓本体の表面に配設している（特許文献１参照）。
【特許文献１】登録実用新案公報第３０６３１３０号公報
【考案の開示】
【考案が解決しようとする課題】
【０００３】
しかしながら、上述した登録実用新案公報第３０６３１３０号公報に開示されたソーラー電卓にあっては、太陽電池（受光面）が電卓本体の正面に配設されているため、社名や広告等の文字、記号、図形を記載し又は貼着するための有効スペースを正面に確保することができないといった問題がある。
【０００４】
また、昨今では、単に四則計算をするだけの電卓だけではなく、広告宣伝ができる販促品やノベルティグッズとして商品価値の高い斬新なソーラー電卓が要望されている。
【０００５】
本考案はこのような従来の問題点及び要望に鑑みてなされたもので、太陽電池若しくはその受光面を電卓本体の外周端面に形成することにより、表面に社名や広告等を表示又は貼着するための有効なスペースを確保することができる斬新なデザインのソーラー電卓を提供することを目的としたものである。
【課題を解決するための手段】
【０００６】
上述の如き従来の問題点を解決し、所期の目的を達成するため本考案の要旨とする構成は、操作キー、表示窓が配設された電卓本体の外周面に、太陽電池若しくは太陽電池用の受光面を設けたことを特徴とするソーラー電卓に存する。
【０００７】
また、操作キー、表示窓等が配設された電卓本体の表面に、社名や広告等の文字、記号、図形を表示若しくは貼着するための有効スペースを設けるのが良い。
【０００８】
更に、所定大きさに形成された電卓本体と、該電卓本体に所定大きさの表示窓及び操作キーとを備えてなる電卓において、前記電卓本体は、同電卓本体の幅方向上端に沿って形成された表示窓と、該表示窓と同形同大で同電卓本体の幅方向下端に沿って形成された有効スペースとの間に、前記操作キーを配列するのが良い。
【０００９】
また、前記操作キーは、有効スペース及び／又は表示窓と同じ縦幅を一辺とする正方形を有しており、内部電池との二電源方式用の太陽電池を前記電卓本体の頂部端面(頂面)に配設するのが良い。
【考案の効果】
【００１０】
本考案は上述のように構成され、操作キー、表示窓が配設された電卓本体の外周面に、太陽電池若しくは太陽電池用の受光面を設けたことによって、電卓本体の正面に有効スペースを確保することができるため、社名や広告宣伝等の文字、記号、図形等を表示することができるとった効果を奏する。
【００１１】
また、操作キー、表示窓等が配設された電卓本体の表面に、社名や広告等の文字、記号、図形を表示若しくは貼着するための有効スペースを設けることによって、販促品やノベルティグッズとしての商品価値を高めることができるといった効果を奏するものである。
【００１２】
更に、前記操作キーは、有効スペース及び／又は表示窓と同じ縦幅を一辺とする正方形を有しており、内部電池との二電源方式用の太陽電池を前記電卓本体の頂部端面に配設することによって、電卓本体の正面に無駄なスペースを省くべく表示窓、有効スペース、操作キーを均等に配列することができるといった効果を奏する。
【００１３】
このように本考案は、社名や広告宣伝等の文字、記号、図形を表示することができる他、構成が単純であるため、大量生産に適し価格も低廉なものとして需用者に供給できるなど、本考案を実施することはその実益的価値が甚だ大である。
【考案を実施するための最良の形態】
【００１４】
電卓本体の正面上下両端に離間して形成された表示窓と有効スペースとの間に操作キーを配列すると共に、内部ボタン電池との二電源方式用の太陽電池を電卓本体の頂部端面(上端)に配設せしめる。
【実施例】
【００１５】
次に本考案の実施の一例を図面を参照しながら説明する。図中Ａは、本考案に係るソーラー電卓であり、このソーラー電卓Ａは、図１乃至図２に示すように、電卓本体１の上端側に形成された表示窓２と下端側に形成された有効スペース３との間に操作キー４を配列している。
【００１６】
前記電卓本体１は、正方形状の中空体に形成されており、必要に応じて白色、黒色、赤色、青色、その他、適宜色彩のものが使用されることは云うまでもない(図５参照)。
【００１７】
また、前記表示窓２は、電卓本体１の幅方向上端１ａに沿って帯状に形成された液晶画面であり、同電卓本体１の縦幅を六等分した最上位の横一段（１／６段）を占めている。
【００１８】
更に、有効スペース３は、社名や広告宣伝等の文字、記号、図形などを表示する欄であり、電卓本体１の幅方向下端１ｂに沿って帯状に形成され、同電卓本体１の縦幅を六等分した最下位の横一段（１／６段）を占めている。
【００１９】
また、前記操作キー４は、前記表示窓２及び有効スペース３と同じ縦幅を一辺とする正方形を有しており、同電卓本体１の縦幅を六等分した中央部位の横四段（４／６段）に配列されている。
【００２０】
更に、この操作キー４は、図３に示すように、電卓本体１の表面に突出しないように、換言すれば、同電卓本体１と面一になるように組み付けられており、各操作キー４の表面に文字・記号が大き目に表示されている。
【００２１】
因に、斯かる操作キー４の種類としては、例えば、電源オン・クリアーキー４ａと、メモリークリアーキー４ｂと、マイナスメモリーシフトキー４ｃと、プラスメモリーシフトキー４ｄと、０〜９の数字キー４ｅと、少数点キー４ｆと、イコールキー４ｇと、四則計算(÷、×、−、＋)キー４ｈと、ルートキー４ｉと、パーセントキー４ｊと、＋／−キー４ｋ、置数訂正キー４ｌなどが挙げられる。
【００２２】
一方、電卓本体１の頂部端面(外周面)には、図２に示すように、内部ボタン電池若しくは蓄電池（図示せず）と電気的に接続された二電源方式用の太陽電池５を設けている。太陽電池５は、Solar Cell或いはPhotovoltaicと呼ばれ、太陽光のエネルギーを直接電気に換えるために使用されるものであり、パソコンの集積回路でも使われている半導体を使用している。
【００２３】
現在、良く使用されている半導体としては、例えば、シリコン結晶が挙げられれ、シリコン結晶をｎ型(−)とｐ型(＋)という積層加工を施して、光を当てることで光電効果が発生し発電する仕組みとなっている。
【００２４】
換言すれば、半導体は、シリコン（珪素）でできており、まず、そのシリコンを溶かし、結晶化させることにより高純度のシリコンを作り上げる。次いで、このシリコン結晶に不純物としてリン原子を入れるとマイナス電子をもったシリコンができ（これをｎ型シリコンと云う）、また、不純物としてボロン原子を入れることでプラス電子をもったｐ型シリコンになるのである。
【００２５】
但し、太陽電池５単体では、バッテリーのような蓄電機能がないため、昼間のみならず、夜間でも使用できるように、本考案のソーラー電卓Ａでは、内部ボタン電池や蓄電池(図示せず)を別途に付設しており、これらと太陽電池５とを電気的に接続させた二電源方式を採用している。
【００２６】
このように構成される本考案のソーラー電卓Ａは、電卓本体１の上端外周１ａに太陽電池５を設けているため、その分、電卓本体１の正面に有効スペース３を確保することができ、社名や広告宣伝等の文字、記号、図形を表示することができるなど、販促品やノベルティグッズとしての商品価値を高めることができる。
【００２７】
尚、本考案のソーラー電卓Ａは本実施例に限定されることなく、本考案の目的の範囲内で自由に設計変更し得るものであり、本考案はそれらの全てを包摂するものである。例えば、本実施例では太陽電池５を電卓本体１の外周面頂部（上端面）に設けているが、これに限定されることなく、電卓本体１の外周面側部（左側端面及び／又は右側端面）に設けても良い。
【図面の簡単な説明】
【００２８】
【図１】本考案に係るソーラー電卓の第１実施例を示す正面図である。
【図２】同ソーラー電卓の平面図である。
【図３】図３(ａ)は同ソーラー電卓の内部機構を省略した横断面図、図３(ｂ)は同縦断面図である。
【図４】同ソーラー電卓の使用状態を示す説明図である。
【図５】同ソーラー電卓の第２実施例を示す正面図である。
【符号の説明】
【００２９】
１  電卓本体
１ａ  上端
１ｂ  下端
１ｃ  背面
２  表示窓
３  有効スペース
４  操作キー
４ａ  電源オン・クリアーキー
４ｂ  メモリークリアーキー
４ｃ  メモリーシフトキー
４ｄ  ラスメモリーシフトキー
４ｅ  数字キー
４ｅ０  数字０キー
４ｅ１  数字１キー
４ｅ２  数字２キー
４ｅ３  数字３キー
４ｅ４  数字４キー
４ｅ５  数字５キー
４ｅ６  数字６キー
４ｅ７  数字７キー
４ｅ８  数字８キー
４ｅ９  数字９キー
４ｆ  少数点キー
４ｇ  イコールキー
４ｈ  四則計算キー
４ｈ１  除法計算キー
４ｈ２  乗法計算キー
４ｈ３  減法計算キー
４ｈ４  加法計算キー
４ｉ  ルートーキー
４ｊ  パーセントキー
４ｋ  ＋／−キー
４ｌ  置数訂正キー
５  太陽電池
【図１】
0003131570.tif 000003
【図２】
0003131570.tif 000004
【図３】
0003131570.tif 000005
【図４】
0003131570.tif 000006
【図５】
0003131570.tif 000007
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
操作キー、表示窓が配設された電卓本体の外周面に、太陽電池若しくは太陽電池用の受光面を設けたことを特徴とするソーラー電卓。
【請求項２】
操作キー、表示窓が配設された電卓本体の表面に、社名や広告等の文字、記号、図形を表示若しくは貼着するための有効スペースを設けたことを特徴とする請求項１に記載のソーラー電卓。
【請求項３】
所定大きさに形成された電卓本体と、該電卓本体に所定大きさの表示窓及び操作キーとを備えてなる電卓において、前記電卓本体は、同電卓本体の幅方向上端に沿って形成された表示窓と、該表示窓と同形同大で同電卓本体の幅方向下端に沿って形成された有効スペースとの間に、前記操作キーを配列してなることを特徴とする請求項１に記載のソーラー電卓。
【請求項４】
前記操作キーは、社名や広告等の文字、記号、図形を表示若しくは貼着するための有効スペース及び／又は表示窓と同じ縦幅を一辺とする正方形を有しており、内部電池との二電源方式用の太陽電池を前記電卓本体の頂部端面に配設してなることを特徴とする請求項１，２又は３に記載のソーラー電卓。
【手続補正２】
【補正対象書類名】明細書
【補正対象項目名】０００９
【補正方法】変更
【補正の内容】
【０００９】
更に、前記操作キーは、社名や広告等の文字、記号、図形を表示若しくは貼着するための有効スペース及び／又は表示窓と同じ縦幅を一辺とする正方形を有しており、内部電池との二電源方式用の太陽電池を前記電卓本体の頂部端面(頂面)に配設するのが良い。
【手続補正３】
【補正対象書類名】明細書
【補正対象項目名】００１２
【補正方法】変更
【補正の内容】
【００１２】
更に、前記操作キーは、社名や広告等の文字、記号、図形を表示若しくは貼着するための有効スペース及び／又は表示窓と同じ縦幅を一辺とする正方形を有しており、内部電池との二電源方式用の太陽電池を前記電卓本体の頂部端面に配設することによって、電卓本体の正面に無駄なスペースを省くべく表示窓、有効スペース、操作キーを均等に配列することができるといった効果を奏する。